(57)【要約】【課題】  複数のページをもつ電子黒板装置において、消し忘れによる情報の流出を防止すること、なおかつ、その利便性を向上させる。【解決手段】  文字・図画が記載されるスクリーン１と、スクリーン１に記載された内容を消去する消去部３と、指紋によるユーザー認識が可能な操作部６と、ユーザー認識を利用した消し忘れによる情報の流出を防止するための制御を行う制御部５とを少なくとも備えた。【選択図】        図１
2005088204.tif 000002
【特許請求の範囲】
【請求項１】
文字・図画が記載されるスクリーンと、該スクリーンに記載された内容を消去する消去部と、指紋によるユーザー認識が可能な操作部と、ユーザー認識を利用した消し忘れによる情報の流出を防止するための制御を行う制御部とを少なくとも備えたことを特徴とする電子黒板装置。
【請求項２】
ユーザー認識を利用して消し忘れによる情報の流出を防止するための制御を行うモードと、当該制御を行わないモードとを切り換え自在にしたことを特徴とする請求項１の電子黒板装置。
【請求項３】
スクリーンに記載された文字・図画を読み取る読取部と、該読取部によって読み取った内容を印刷用紙に印刷する用紙印刷部と、前記読取部によって読み取った内容を画像データとして記録する記録部とを備え、誤って消去してしまったページでも記録した画像データを基に印刷可能としたことを特徴とする請求項２の電子黒板装置。
【請求項４】
スクリーンに記載された内容を消去した内容をスクリーンに復元するためのスクリーン印刷部を備えたことを特徴とする請求項３の電子黒板装置。
【請求項５】
記録部に記録した画像データやユーザー認識をするために保存した指紋情報を、電源オフ時に自動的に記録部から消去することを特徴とする請求項１ないし４のいずれかの電子黒板装置。
【請求項６】
画像データやユーザー認識をするために保存した指紋情報を、一定時間が経過後に自動的に記録部から消去することを特徴とする請求項１ないし４のいずれかの電子黒板装置。
【請求項７】
画像データやユーザー認識をするために保存した指紋情報が記録部から消去されるまでの時間が、任意に設定可能であることを特徴とする請求項６の電子黒板装置。
【請求項８】
記録部の空き容量が一定容量以下になると、自動的にデータを消去して、画像データやユーザー認識をするために必要な指紋情報を記録する領域を確保することを特徴とする請求項１ないし７のいずれかの電子黒板装置。
【請求項９】
記録部に記録した画像データやユーザー認識をするために保存した指紋情報について、特定の情報を消去禁止することが可能であることを特徴とする請求項３ないし７のいずれかの電子黒板装置。
【発明の詳細な説明】
【技術分野】
【０００１】
本発明は、電子黒板装置に関する。なお、本発明における黒板とは、文字・図画等を提示するスクリーンを意味しており、黒色であるとは限らない（ホワイトボード等も含まれるものとする）。
【背景技術】
【０００２】
電子黒板装置に関連して、例えば、特許文献１には、消去操作によって消去を実行する技術が示されている。この技術の場合、電子黒板を使用後に消去操作をし忘れた場合についての対策がなされていないため、共用設備として利用する場合、セキュリティ的に問題がある。
また、特許文献２には、電源オン時に画像データを消すか、印刷時に消す技術が示されている。この技術の場合、電源を消し忘れた場合の対処法がなく、また、印刷すると記述した内容が消されてしまうため、見直すことができない欠点がある。
また、特許文献３には、記録部に記録した画像データを基に、消去した画像を復元できるが示されている。この技術の場合、記録した画像データの復元に関してユーザーの制限がないため、共用設備として利用する場合、セキュリティ的に問題がある。
【特許文献１】特開平５−３８８９６号公報
【特許文献２】特開平８−６５４２９号公報
【特許文献３】特開平８−６５４３０号公報
【発明の開示】
【発明が解決しようとする課題】
【０００３】
例えば、会議室などに設置されている電子黒板装置は、不特定多数の人に使用されている。電子黒板は複数のページを持っていることが多く、そのため、現在表示されていないページを消し忘れてしまい、次に使用した人に記載したことを見られてしまうことがある。しかし、部外者では、記載された情報の重要性が判断できないため、安易にそれを流布してしまう可能性がある。
本発明は、複数のページをもつ電子黒板装置において、消し忘れによる情報の流出を防止すること、なおかつ、その利便性を向上させることを目的とする。
【課題を解決するための手段】
【０００４】
上記目的を達成するために、請求項１記載の発明は、文字・図画が記載されるスクリーンと、スクリーンに記載された内容を消去する消去部と、指紋によるユーザー認識が可能な操作部と、ユーザー認識を利用した消し忘れによる情報の流出を防止するための制御を行う制御部とを少なくとも備えた電子黒板装置を最も主要な特徴とする。
請求項２記載の発明は、ユーザー認識を利用して消し忘れによる情報の流出を防止するための制御を行うモードと、当該制御を行わないモードとを切り換え自在にした請求項１の電子黒板装置を主要な特徴とする。
請求項３記載の発明は、スクリーンに記載された文字・図画を読み取る読取部と、読取部によって読み取った内容を印刷用紙に印刷する用紙印刷部と、読取部によって読み取った内容を画像データとして記録する記録部を備え、誤って消去してしまったページでも記録した画像データを基に印刷可能とした請求項２の電子黒板装置を主要な特徴とする。
請求項４記載の発明は、スクリーンに記載された内容を消去した内容をスクリーンに復元するためのスクリーン印刷部を備えた請求項３の電子黒板装置を主要な特徴とする。
【０００５】
請求項５記載の発明は、記録部に記録した画像データやユーザー認識をするために保存した指紋情報を、電源オフ時に自動的に記録部から消去する請求項１ないし４のいずれかの電子黒板装置を主要な特徴とする。
請求項６記載の発明は、画像データやユーザー認識をするために保存した指紋情報を、一定時間が経過後に自動的に記録部から消去する請求項１ないし４のいずれかの電子黒板装置を主要な特徴とする。
請求項７記載の発明は、画像データやユーザー認識をするために保存した指紋情報が記録部から消去されるまでの時間が、任意に設定可能である請求項６の電子黒板装置を主要な特徴とする。
請求項８記載の発明は、記録部の空き容量が一定容量以下になると、自動的にデータを消去して、画像データやユーザー認識をするために必要な指紋情報を記録する領域を確保する請求項１ないし７のいずれかの電子黒板装置を主要な特徴とする。
請求項９記載の発明は、記録部に記録した画像データやユーザー認識をするために保存した指紋情報について、特定の情報を消去禁止することが可能である請求項３ないし７のいずれかの電子黒板装置を主要な特徴とする。
【発明の効果】
【０００６】
本発明によれば、複数のページをもつ電子黒板装置において、消し忘れによる情報の流出を防止し、なおかつ、その利便性を向上させることができる。
【発明を実施するための最良の形態】
【０００７】
以下、本発明の実施例を図面に従って説明する。
【実施例１】
【０００８】
図１は本発明の実施例１に対応する電子黒板装置のブロック図である。
符号１は文字・図画等が記載することが可能なスクリーンで、電子黒板の横幅を１ページの長さとした場合、ページ＃１からページ＃ｎまでの複数のページを表示できる長さをもつ。２（２ａ、２ｂ）はスクリーンに記載されている内容を読み取る読取部（読取部Ａ、Ｂ）、３（３ａ、３ｂ）はスクリーンに記載された内容を消去できる消去部（消去部Ａ、Ｂ）、４はスクリーンのページ送り等を行うための回転駆動部、５は画像処理、指紋によるユーザー認識および本装置の各部の動作を制御する制御部、６は使用者（ユーザー）が本装置を操作するために印刷ボタンやページ送りボタン、電源ボタンなどを備えた操作部、７は読取部で読み取った画像を印刷用紙に印刷する用紙印刷部、８は指紋の情報等を保存する記録部である。
操作部６のページ操作ボタン（ページ送り／戻し、あるいは矢印ボタン等）、印刷ボタン、電源ボタン等に指紋認識パッド等を用い、指紋読取機能を設ける。読取部２と用紙印刷部７は一般的な電子黒板装置に設けられているため記載従、本実施例では特に必須ではないので、省略してもよい。
図２は本発明の実施例１に対応する電子黒板装置の外観図である。ここでは、スクリーン１が左右に移動することでページ送り／戻しが行われるタイプを挙げたが、上下に移動するタイプであれば、読取部２、消去部３は上下に設けられる（本発明では、以後、ページ送りは図２における左方向への移動、ページ戻しは右方向への移動として説明を行う）。スクリーン１がループ上になっているような場合は、読取部Ａまたは読取部Ｂの一方を省略することが可能である。
【０００９】
図１の電子黒板装置によれば、各ページとその権利保有者（オーナー）を一意に関連付けることが可能となり、該当するページの権利を持たないユーザーがそのページを表示した場合、消去装置３により記載内容を消去することができる。この機能により、消し忘れによる情報の漏洩等を防ぐことができ、セキュリティの向上を図ることができる。
例えば、ユーザーＡがスクリーン１のページ＃１を記載し終わり、操作部６の“ページ送り（あるいは矢印）ボタン”を押したとする。“ページ送りボタン”は指紋の読み取り部となっているため、ボタンが押された際にユーザーＡの指紋を読み取り、その情報とページ送りボタンが押されたという情報を制御部５へ送る。制御部５は、ユーザーＡの指紋情報を記録部８へ記録すると同時に、その指紋がページ＃１のオーナーものであるという情報を付加する。
また、制御部５は、次に表示されるページ＃２のオーナーの指紋情報とユーザーＡの指紋情報を比較し、ページ＃２のオーナーがユーザーＡ以外であれば、ユーザーＡにはページ＃２を表示する権利はないと判断し、回転駆動部４へページ＃２を表示するためのページ送り動作を命令すると同時に、消去部Ｂにページ＃２の消去命令を送る。もし、ページ＃２のオーナーがユーザーＡであれば、消去命令は出さない。また、オーナーの指紋情報が記録部に無い場合は、常に消去して表示する。
次に、ユーザーＢが操作部６の“ページ戻しボタン”を押したとする。“ページ戻しボタン”も指紋読み取り部となっており、操作部６はユーザーＢの指紋を読み取り、その情報とページ戻しボタンが押されたという情報を制御部５へ送る。
ページ戻し操作で表示されるページがページ＃１であるため、制御部５は記録部８からページ＃１のオーナーの指紋情報を取り出し、送られて来たユーザーＢの指紋と比較する。ページ＃１のオーナーはユーザーＡであるため、制御部５は、ユーザーＢにはページ＃１を表示する権利はないと判断し、回転駆動部４へページ＃１を表示するためのページ戻し動作を命令すると同時に、消去部Ａへページ＃１の消去をするよう命令を送る。以上のような制御が行われるため、ユーザーＡがページ＃１を消し忘れたとしても、ユーザーＢにページ＃１を見られることはない。
【００１０】
もし、ページ戻しボタンを押したのがユーザーＡであれば、ページ＃１のオーナーとして認識されるため、制御部５はページ＃１に記載された内容を消去することなく、ページ戻し動作が行われる。ただし、この時、ページ戻し操作行ったことで、ページ＃１のオーナーとユーザーＡの指紋との関連付けが解除される。このため、次にページ送りボタンを押したユーザーがページ＃１の新しいオーナーになる。
また、ユーザーＢが押したボタンが「ページ戻し」ではなく「ページ送り」ボタンだった場合、ユーザーＢがページ＃２のオーナーとして関連付けられ、ページ＃３が表示される。この時、制御部５内の記録部には、ユーザーＡとユーザーＢの指紋情報が、それぞれページ＃１、＃２のオーナー情報として記録される。また、ページ＃３のオーナーがユーザーＢであるか判断し、ページ＃３を消去してページ送りするか、消去せずにページ送りするかが決定される。
スクリーン１がループ上になっており、ページ＃ｎが表示された状態でページ送り操作をすると、ページ＃１が表示されるような電子黒板装置の場合は、まず、“ページ送りボタン”を押したユーザーＸの指紋がページ＃ｎのオーナー情報として制御部５の記録部に記録される。ページ＃１は、オーナーがユーザーＸでなければ、消去部３により記載された内容を消去してからページ送りするように制御してもよいし、オーナーが誰かに関わらず消去した上でページ送りしてもよい。
この様に、あるユーザーＸがスクリーン１に対して何らかのページ操作を行った場合、ユーザーＸはその操作によって表示されない状態になってしまうページのオーナーとして認識され、逆にその操作によって表示されるページに対しては、ユーザーＸがオーナーであるか否かによって制御方法を変えることで、前述の目的を果たすことができる。
【実施例２】
【００１１】
実施例２では、実施例１で述べた機能を使用するか否かを、制御部５において自由に制御できるようにしている。使用するか否かの設定は操作部６より入力する。これにより、通常の電子黒板装置と同等の操作ができ、誤操作による情報の消失や利便性の低下を免れることができる。
【実施例３】
【００１２】
実施例３では、記録部を積極的に利用することで、セキュリティレベルを低下させることなく、情報の消失を防ぐことができる。
図３は本発明の実施例３に対応する電子黒板装置のブロック図、図４は本発明の実施例３に対応する電子黒板装置の外観図である。実施例１では、読取部２、用紙印刷部７は必須ではない機能部だったが、実施例３では必須の機能である。
図３の電子黒板装置において、ページ送り操作をする際、常に読取部２ａ（読取部Ａ）で該当ページに記載された内容を読み取り、画像データとして記録部８に一時記録することにする。もし、誤ってページを消去してしまったとしても、記録部８に保存した該当するページの画像データを用紙印刷部７で印刷すればよい。このためには、記録部８はスクリーン１の複数のページを画像データとして取り扱うのに十分な容量を持つことが必要となる。
また、操作部６の用紙印刷操作ボタンも指紋読取部としておき、用紙印刷操作が可能なのは該当するページのオーナーだけとすれば、セキュリティレベルの低下を防ぐことができる。また、記録部８に保存されているデータの消去もオーナーのみしか操作できないようにするとよい。
【実施例４】
【００１３】
図５は本発明の実施例４に対応する電子黒板装置のブロック図、図６は本発明の実施例４に対応する電子黒板装置の外観図である。実施例４の電子黒板装置は、図３、図４に示す電子黒板装置の構成に、画像データをスクリーン１に印刷するスクリーン印刷部９（９ａ、９ｂ：スクリーン印刷部Ａ、Ｂ）を追加したものである。スクリーン印刷部９はいずれか一方を省略してもよい。
実施例３では、消去してしまったページの記載内容に関して、記録部８に保存された画像データを用紙印刷部７に送って印刷用紙に印刷しているが、実施例４では、記録部８に保存された画像データをスクリーン印刷部９ａまたは９ｂによってスクリーン１に印刷（以後、復元とする）することが特徴である。このため、一度消去されてしまったページでも、復元して追記することができ、電子黒板装置の利便性を損なわない。
また、操作部６の復元操作ボタンも指紋読み取り部としておき、復元操作が可能なのは復元するページのオーナーだけとすれば、セキュリティレベルの低下を防ぐことができる。
応用的な使い方として、スクリーン１がループ上になっている電子黒板装置で、最終ページ＃ｎをページ送りする場合、自動的にページ＃１を消去してページを送り、ユーザーの消去作業の手間を省くことができる。仮にユーザーがページ＃１の消去を望んでいなくても、復元機能によってページ＃１に記載されていた内容がいつでも復元できるため、深刻な問題にはならない。
逆に、ページ送りをするということは、ユーザーが新しいページを使いたいからである場合が多く、利便性を高めているといえる。これは、物理的なページ数が少なくても、記録部（８）の記憶容量を充分に大きくすれば、仮想的に沢山のページ数を持てるということも意味している。
【実施例５】
【００１４】
実施例５では、使用後、電源オフと同時に記録した情報を消去する（初期化する）ように、制御部５で制御する。あるいは、記録部８に揮発性メモリを使用すれば、特に制御部５による制御を必要としないで同様の機能を実現できる。これらにより、使用開始（電源オン）時に、常に使用可能な状態を提供できる。また、使用前／使用後に、わざわざユーザーが記録部のデータを消去する必要がなく、利便性が向上する。
【実施例６】
【００１５】
実施例６では、オーナーがデータの消去操作をするか、一定時間が経過しなければデータの消去を行わないように制御する。これにより、古くなったデータから逐次消去されていくので、ユーザーが意識的に記録部８に保存されたデータの消去をする手間を軽減できる。開始時刻は、データが記録された時刻やデータが記録された後、最初に電源オフされた時刻などを用いるとよい。
【実施例７】
【００１６】
実施例７では、ユーザーが操作部６から消去までの時間を入力し、制御部（５）はその設定に従って消去を行う。例えば、毎週行っている会議があり、そこで本実施例で述べる電子黒板装置を使用しているとする。データを消去するまでの時間を１週間としておけば、次回の会議の時に先週の会議の内容を復元して使用することも可能となる。このように、ユーザーの環境に合わせた使い方ができるため、利便性が向上する。
【実施例８】
【００１７】
実施例８では、ある判断条件に従って制御部５が自動的にデータを消していくため、ユーザーは記録部８の空き容量を気にすることなく使用できるようになる。消去するデータの判断基準は、記録された日時や最近使用された日時が古い順などを使用する。
【実施例９】
【００１８】
実施例９は、特定のデータを消去禁止にするようにして、重要な内容を記述したページの画像データであっても、記録された日時が古かったために消去されてしまう不具合、会議以外のデータも１週間保存されてしまい、直ぐに記録部８の容量を使いきってしまう不具合を回避する。
本発明では、複数のページを持つ電子黒板装置において、各ページ（スクリーン）と権利保有者（オーナー）を関連付けることによって、オーナーの許可（操作）がなくては、そこに書かれた情報が見られない仕組みになっている。これにより、電子黒板装置を使用後、特にスクリーンに書かれた文字・図画の消去を意識しなくてもよい。
また、ユーザー認識による制御を行わないモードを選択できることによって、一般的な電子黒板と同様に使用することができる。
また、ページ操作をする度に、そのページの画像データが記録装置上に一時記録されるため、誤操作のために消去してしまったページ、あるいは消去部により消去されたページについても、印刷用紙に印刷することによって、スクリーンに記載した情報の消失を免れることができる。また、対象となるページのオーナーのみ印刷可能と設定することができるので、セキュリティ的にも安全である。
【００１９】
また、ページの記載された内容を画像データとして記録しており、また、スクリーンへの印刷機能を持つため、誤操作のために消去してしまったページ、あるいは消去装置により消去してしまったページを完全に復元できる。また、復元するページのオーナーのみ復元可能と設定することができるので、セキュリティ的にも安全である。
また、電源オンすれば、記録部にあるデータが消去されるので、使用しようとした時に記録容量不足になることが防ぐことができる。また、使用前／使用後にわざわざデータを消去する必要がなくなり、利便性が向上する。
また、一定時間経過後に自動的に記録部にあるデータが消去されるので、ユーザーが意識的に記録部のデータの消去操作をする必要がなく、利便性が向上する。
また、記録部にあるデータが消去されるまでの時間をユーザーが指定できるので、ユーザーの環境に合わせた使い方ができ、さらに利便性が向上する。
また、記録部の容量が少なくなると、自動的にデータを重要度の低いデータを消去し、必要な記憶領域を確保するので、記録領域不足になることがない。このため、ユーザーが記録部の空き容量を気にしたり、不必要なデータを消去したりする手間が省け、利便性がよい。
また、記録部に記録したデータに対して、消去禁止の属性が付加できるので、重要なデータを消去禁止に指定しておけば、消去するデータの条件に当てはまっても消去されることはなく、そのデータを消失することはなくなる。
【図面の簡単な説明】
【００２０】
【図１】本発明の実施例１に対応する電子黒板装置のブロック図。
【図２】本発明の実施例１に対応する電子黒板装置の外観図。
【図３】本発明の実施例３に対応する電子黒板装置のブロック図。
【図４】本発明の実施例３に対応する電子黒板装置の外観図。
【図５】本発明の実施例４に対応する電子黒板装置のブロック図。
【図６】本発明の実施例４に対応する電子黒板装置の外観図。
【符号の説明】
【００２１】
１  スクリーン
２  読取部
３  消去部
４  回転駆動部
５  制御部
６  操作部
７  用紙印刷部
８  記録部
【図１】
2005088204.tif 000003
【図２】
2005088204.tif 000004
【図３】
2005088204.tif 000005
【図４】
2005088204.tif 000006
【図５】
2005088204.tif 000007
【図６】
2005088204.tif 000008